(57)【要約】【課題】複数の表示器を隣接配置する場合でも表示の連続性や統一性を高め、視認性の良好な表示装置を提供することを目的とする。【解決手段】互いに隣接する少なくとも２つの表示器と、これら表示器の表示面側を連続して覆う透視パネル６とを備えた表示装置において、２つの表示器のうち少なくとも一方は各表示器の境界部Ｂに隣接する表示領域に表示画像Ｇを表示する表示器からなり、透視パネル６は表示画像Ｇを形成する光が透過する際にその光を屈折させて境界部Ｂ上に表示画像Ｇの屈折像ＫＧを形成するレンズ部６１を有することにより、屈折像ＫＧによって境界部Ｂが隠れるため、複数の表示器を隣接配置する場合でも表示の連続性や統一性を高め、視認性を良好にすることができる。【選択図】  図２
2012078108.tif 000002
【特許請求の範囲】
【請求項１】
互いに隣接する少なくとも２つの表示器と、これら表示器の表示面側を連続して覆う透視パネルとを備えた表示装置において、前記２つの表示器のうち少なくとも一方は前記各表示器の境界部に隣接する表示領域に表示画像を表示する表示器からなり、前記透視パネルは前記表示画像を形成する光が透過する際にその光を屈折させて前記境界部上に前記表示画像の屈折像を形成するレンズ部を有することを特徴とする表示装置。
【請求項２】
前記レンズ部が前記表示画像を拡大する拡大レンズからなることを特徴とする請求項１に記載の表示装置。
【発明の詳細な説明】
【技術分野】
【０００１】
本発明は、例えば車両のメータに組み込まれ、車両情報を表示する表示装置に関するもので、特に表示部の一部を拡大表示するタイプの表示装置に関するものである。
【背景技術】
【０００２】
車両情報を表示する表示装置として特許文献１に記載のものが知られている。特許文献１に記載の表示装置は、液晶表示器からなる第１の表示器と、この第１の表示器の表示面上に重ねて配置され、中央に第１の表示器を透視可能となる窓部が形成されてなるインジケータ表示器からなる第２の表示器と、これら第１，第２の表示器を透視可能とする開口部を有する見返し部材と、この見返し部材と第１，第２の表示器との間に配置され第１，第２の表示器の境界を覆う枠部材とを備えている。
【先行技術文献】
【特許文献】
【０００３】
【特許文献１】特開２０１０―３６８１６号公報
【発明の概要】
【発明が解決しようとする課題】
【０００４】
しかしながら、この表示装置は、第１の表示器と第２の表示器とが隣接し、両表示器の境界となっている箇所が枠部材によって覆われる構成であるため、その境界には表示に寄与しない枠体構造物（枠部材）が視認されるため、両表示器が枠部材によって分断され、隣接する表示器どうしが連続するような見映えを実現することが困難であった。
【０００５】
そこで本発明は、複数の表示器を隣接配置する場合でも表示の連続性や統一性を高め、視認性の良好な表示装置を提供することを目的とする。
【課題を解決するための手段】
【０００６】
本発明は、前記目的を達成するため、互いに隣接する少なくとも２つの表示器と、これら表示器の表示面側を連続して覆う透視パネルとを備えた表示装置において、前記２つの表示器のうち少なくとも一方は前記各表示器の境界部に隣接する表示領域に表示画像を表示する表示器からなり、前記透視パネルは前記表示画像を形成する光が透過する際にその光を屈折させて前記境界部上に前記表示画像の屈折像を形成するレンズ部を有することを特徴とする。
【０００７】
このように構成することにより、屈折像によって各表示器の境界部が隠れるため、複数の表示器を隣接配置する場合でも表示の連続性や統一性を高め、視認性を良好にすることができる。
【０００８】
また本発明は、前記レンズ部が前記表示画像を拡大する拡大レンズからなることを特徴とする。
【０００９】
このように構成することにより、表示画像を拡大像とすることができるので、屈折像自体、継目のない連続した画像として表示でき、見映えを向上させることができる。
【発明の効果】
【００１０】
本発明によれば、複数の表示器を隣接配置する場合でも表示の連続性や統一性を高め、視認性が良好な表示装置を提供することができる。
【図面の簡単な説明】
【００１１】
【図１】本発明における表示装置の第１の実施形態を示す正面図。
【図２】同上のＡ−Ａ断面図。
【図３】本発明における表示装置の第２の実施形態を示す要部断面図。
【図４】本発明における表示装置の第３の実施形態を示す要部断面図。
【図５】本発明におけるレンズ部の変形例を示す断面図。
【発明を実施するための形態】
【００１２】
以下、本発明の第１の実施形態を添付図面に基づいて説明するが、本発明を車両用表示装置に適用する場合を例に上げて説明する。
【００１３】
本実施形態の表示装置は、回路基板１と、光源２と、ハウジング３と、液晶ユニット（第１の表示器）４と、指針式計器（第２の表示器）５と、前面パネル（透視パネル）６とから構成されている。
【００１４】
回路基板１は、周知の硬質回路基板であり、表示板用の光源２が実装されている。回路基板１上には、白色の合成樹脂などで成型されたハウジング３が配置されてあり、液晶ユニット４がハウジング３によって保持されている。
【００１５】
液晶ユニット４は、液晶表示パネル４１と、ケース４２と、導光板４３と、液晶用光源４４と、パネル抑え４５とから主に構成されている。
【００１６】
液晶表示パネル４１は、マトリクス状に設けられた画素（ドット）を有するドットマトリクス型である。詳細は省略するが（図示もせず）、ＩＴＯからなる透明電極や透明電極に連なる引き回し電極がそれぞれ形成された第１のガラス基板４１ａと第２のガラス基板４１ｂとを重ね合わせて周囲を封止剤で固定した後、各ガラス基板４１ａ，４１ｂ間に液晶分子を封入し、各ガラス基板４１ａ，４１ｂに例えばスモーク調の偏光膜を貼ったものである。
【００１７】
ケース４２は、図示しないが、液晶表示パネル４１とほぼ同形で金属や合成樹脂からなる。
【００１８】
導光板４３は、図示しないが、無色透明なアクリルあるいはポリカーボネートなどの合成樹脂からなり、液晶用光源４４に対向した側面には受光部が設けてある。また、裏面には微細な凹凸（シボ）が形成されており、受光部から導光板４３内に入射した液晶用光源４４からの光が凹凸で反射して、導光板の表面側に向かうようになっている。この導光板４２はケース４２内に収納される。
【００１９】
パネル抑え４５は、図２に示すように、金属材料である例えばステンレス鋼板からなり、液晶表示パネル４１の周縁部分を抑えるパネル縁部４６を有している。この際、パネル縁部４６は、表示板５１の後述する開口部と共に表示ユニット４と指針式計器５との境界部Ｂを構成する。
【００２０】
このように構成された液晶ユニット４は、液晶用光源４４の点灯により、その表示領域の中央側に様々な車両情報、例えば車速、外気温、走行距離、経路案内情報、車間距離情報、車載オーディオ情報からなる情報画像（図示しない）を表示すると共に、指針式計器５との境界部Ｂに隣接する表示領域にパネル縁部４６の内縁に沿った中抜き四角形状の表示画像Ｇを表示する。
【００２１】
指針式計器５は、表示板５１と、指針５２とで例えば燃料計とエンジン回転計を構成するもので、液晶ユニット４の左右に配置されている。
【００２２】
表示板５１は、液晶ユニット４を収容する開口部５３と、指針５２の指示対象となる指標部（図示なし）とを有しており、この場合、開口部５３は境界部Ｂの一部を構成する。
【００２３】
前面パネル６は、図２に示すように、透明な合成樹脂であって、境界部Ｂ及び表示画像Ｇの表示領域に対応する箇所にはレンズ部６１が形成されている。
【００２４】
レンズ部６１は、液晶表示パネル４１側に向かって突出した凸レンズであり、半蒲鉾形の形状を有している。このレンズ部６１は、表示画像Ｇを形成する光が透過する際にその光を表示画像Ｇが拡大するように屈折させ、これにより境界部Ｂ及び表示画像Ｇの表示領域上に表示画像Ｇの屈折像ＫＧを形成し、この屈折像ＫＧにより境界部Ｂ（パネル縁部４６）を視認できなくする。
【００２５】
ここで、図１にて斜線で示した部分は、表示画像Ｂが表示される領域であり、その外側が境界部Ｂ領域であり、これら表示画像Ｇの表示領域と境界部Ｂ領域とをあわせた領域が屈折像ＫＧの表示領域となる。この結果、屈折像ＫＧは、表示画像Ｂの表示領域と境界部Ｂ領域とを覆う像として視認される。すなわちレンズ部６１で拡大された表示画像Ｇは、斜線（表示画像Ｇが表示される領域）部分を超えて外向き（図２中、矢印方向）に拡大され、これにより境界部Ｂ及び表示画像Ｇが屈折像ＫＧによって覆われる。
【００２６】
このように本実施形態は、互いに隣接する少なくとも２つの表示器と、これら表示器の表示面側を連続して覆う透視パネル６とを備えた表示装置において、２つの表示器のうち少なくとも一方は各表示器の境界部Ｂに隣接する表示領域に表示画像Ｇを表示する表示器からなり、透視パネル６は表示画像Ｇを形成する光が透過する際にその光を屈折させて境界部Ｂ上に表示画像Ｇの屈折像ＫＧを形成するレンズ部６１を有することにより、屈折像ＫＧによって境界部Ｂが隠れるため、複数の表示器を隣接配置する場合でも表示の連続性や統一性を高め、視認性を良好にすることができる。
【００２７】
また本実施形態では、レンズ部６１が表示画像Ｇを拡大する拡大レンズからなることにより、表示画像Ｇを拡大像とすることができるので、屈折像ＫＧ自体、継目のない連続した画像として表示でき、見映えを向上させることができる。すなわち、レンズ部６１を表示画像Ｇの形成領域及び境界部Ｂの対応領域を含むように形成することで屈折像ＫＧ自体、継目のない連続した画像として表示することができる。
【００２８】
図３は、第２の実施形態としてレンズ部６１の変形例を示すもので、この実施形態では、レンズ部６１をフレネルレンズ形状にしたものであり、このような構成によっても前記第１の実施形態と同様、表示画像Ｇを拡大した屈折像ＫＧを表示でき、同等の効果を期待できる。
【００２９】
図４は、第３の実施形態としてレンズ部６１の他の変形例を示すもので、この実施形態では、レンズ部６１をプリズムレンズ形状とし、表示画像Ｇを横（外）方向にシフトした屈折像ＫＧを表示させたものであり、このような構成によっても屈折像ＫＧによって境界部Ｂを視認できなくすることが可能となる。なおこの場合、屈折像ＫＧと一緒に表示画像Ｇも同時に視認される。
【００３０】
図５は、第４の実施形態としてレンズ部６１の他の変形例を示すもので、この実施形態では、レンズ部６１をパネル部材６の液晶ユニット４側及びその反対側に形成したものである。このような構成によっても前記第１,第２の実施形態と同様の効果を期待できる。
【符号の説明】
【００３１】
１    回路基板
２    光源
３    ハウジング
４    液晶ユニット
５    指針式計器
６    前面パネル（透視パネル）
４１  液晶表示パネル
４５  パネル抑え
４６  パネル縁部
５１  表示板
５２  指針
５３  開口部
６１  レンズ部
Ｂ    境界部
Ｇ    表示画像
ＫＧ  屈折像
【図１】
2012078108.tif 000003
【図２】
2012078108.tif 000004
【図３】
2012078108.tif 000005
【図４】
2012078108.tif 000006
【図５】
2012078108.tif 000007